(57)【要約】      （修正有）【課題】漏電遮断器の操作方法を、前記漏電遮断器の開閉機構部の変更をほとんど行うことなく押釦式と取っ手式とで容易に変更が可能であり、前記開閉機構部をコンパクトに構成することができ、なおかつ、防水性能に優れた漏電遮断器を低コストで提供する。【解決手段】操作部材２１と２２を操作することにより漏電遮断器のオン状態とオフ状態との間で回動自在に器体１内に配設される回動部材５と、前記回動部材と連動する開閉機構部と、漏電を検出し前記開閉機構部に作用し引き外しを行う漏電引き外し機構部とが少なくとも備えられ、前記操作部材は、前記回動部材に対して回動自在に連結されて設けられる押圧操作式の第一の操作部材２１と、前記漏電遮断器のカバー１ｂに設けられ、該カバー外から押圧操作することにより前記回動部材に回転力を与えるように当接する第二の操作部材２２とから成る。【選択図】図１
2008004352.tif 000002
【特許請求の範囲】
【請求項１】
漏電遮断器の外郭を構成するケースとカバーとからなる器体と、
該器体外部から操作可能に前記器体に設けられる漏電引き外しの動作確認を行うテスト釦と、
該器体外に一部が突出してなる操作部材と、前記操作部材を操作することにより該操作部材と連動して動作し固定接点と可動接点とを強制的に接離させる開閉機構と、前記漏電遮断器を所定面に取付ける取付け面とを有する漏電遮断器において、
器体内部には、
前記操作部材を操作することにより該漏電遮断器のオン状態とオフ状態との間で回動自在に器体内に配設される回動部材と、
前記回動部材とリンクにより連結され、該リンクを介して前記回動部材の回動操作と連動して動作するラッチ部材と、
該ラッチ部材と係合する作動板と、
前記ラッチ部材に連動するクロスバーと、
前記クロスバーに支持される可動接触子と、
前記可動接触子と対向して配置される固定接触子と、
漏電電流を検出する零相変流器と、
該零相変流器に接続された漏電検知部と、
前記テスト釦を操作することにより前記零相変流器を貫通する導体に電流を流し模擬的に漏電電流を発生させる漏電テスト回路と、
前記漏電検知部から出力される漏電引き外し信号により動作し前記作動板に作用する引き外しコイルと、
が少なくとも備えられ、
前記操作部材は、前記回動部材に対して回動自在に連結されて設けられる押圧操作式の第一の操作部材と、前記カバーに設けられ、該カバー外から押圧操作することにより前記回動部材に回転力を与えるように当接する第二の操作部材とから成り、
前記漏電遮断器の取付け面と、前記回動部材の回動中心を含む前記漏電遮断器の取付け面に対する法面とにより形成される二つの領域を第一の領域及び第二の領域とした場合に、
前記第一の操作部材は前記第一の領域において前記回動部材に連結され、
前記第二の操作部材は前記第二の領域において前記カバー側に設けられることを特徴とする漏電遮断器。
【請求項２】
前記第二の操作部材は、コイルバネにより前記ケースの外側方向に常にバイアスされるよう構成されたことを特徴とする請求項１記載の漏電遮断器。
【請求項３】
前記カバーに、樹脂材料からなる防水カバーを装着したことを特徴とする請求項１乃至請求項２記載の漏電遮断器。
【請求項４】
前記第一の操作部材と前記回動部材とを、把持部が設けられるとともに前記回動中心及び前記リンクの連結位置を同じくした把持部付回動部材に置き換え、前記カバーを前記把持部付回動部材に対応するカバーに置き換えることにより、漏電遮断器の操作方法を押圧操作式乃至把持操作式に変更可能であることを特徴とする請求項１乃至請求項２記載の漏電遮断器。
【発明の詳細な説明】
【技術分野】
【０００１】
本発明は漏電遮断器に係り、特に、該漏電遮断器の入切操作方法を、該漏電遮断器の開閉機構部を共用しながらも、容易に、押釦式の入切操作方法から取っ手式の入切操作方法に、または、取っ手式の入切操作方法から押釦式の入切操作方法に、変更することが可能で、防水性能に優れた漏電遮断器に関する。
【背景技術】
【０００２】
遮断器が所定面に取付けられている状態において、該遮断器を入切操作する際の操作方法は、通常、前記遮断器の器体外部に突出する取っ手式、即ちハンドル操作部を指などにより押し上げもしくは引き下げるようにして回動させるように操作を行う方法が一般的である。例えば、特許文献１乃至特許文献３には安全ブレーカ（ＪＩＳ  Ｃ  ８３７０  において、主として住宅などの引込口付近、分岐回路などに使用される遮断器として定義されている住宅用分電盤用配線用遮断器）形の遮断器が示されているが、いずれの場合においても、電源側端子−負荷側端子を結ぶ方向にハンドル操作部を回動させるように操作を行うことで前記遮断器の入切操作を行う方法が採られている。
【０００３】
また、安全ブレーカ形漏電遮断器（ＪＩＳ  Ｃ  ８３７１  において、主として住宅などの引込口付近、分岐回路などに使用される漏電遮断器として定義されている住宅用分電盤分岐用漏電遮断器）形の遮断器や、同じくＪＩＳにおいて定義されているように協約寸法をもつ、電灯分電盤の分岐回路用の遮断器として用いられることが多い電灯分電盤用協約形配線用遮断器などにおいても、前記安全ブレーカと同様に遮断器の器体外部に突出するハンドル操作部を、該遮断器が所定面に取付けられている状態において、指などにより押し上げもしくは引き下げるようにして回動させるように操作を行う方法が一般的であった。
【０００４】
また、回路遮断器には、前述したような取っ手式（ハンドル操作式）の操作部材を備えた回路遮断器以外にも、用途に応じて押釦操作式の操作部材を備えた回路遮断器が種々開示されている。例えば特許文献４には押釦操作式の回路遮断器付スイッチが開示されており、特許文献５には押釦操作式の過電流保護機能付漏電遮断器が開示されている。
【０００５】
【特許文献１】特公昭１−４５３３８号  図２
【特許文献２】特開平６−２３６７２９号  図４
【特許文献３】特開平９−６３４５０号  図３
【特許文献４】実開平７−２７０３４号  図１
【特許文献５】特開平１０−２８３９０４号  図１
【発明の開示】
【発明が解決しようとする課題】
【０００６】
このように、遮断器はその使用用途に応じて、前記特許文献１乃至特許文献３に開示されたように取っ手式の操作方法となるように構成される場合や、前記特許文献４乃至特許文献５に開示されたように押釦式の操作方法となるように構成される場合があるが、このように各々操作方法を違えた遮断器を提供する場合は、該遮断器の機構部やそのほかの構造を、操作方法に応じた専用の設計とする必要があった。
【０００７】
また、遮断器を電気機器に組み込んで使用する場合においては、組み込みスペースの制限などから、取っ手式の操作部を持つ遮断器よりも、押釦式の操作部を持つ遮断器のほうが所要スペースが低減でき、好ましい場合がある。
【０００８】
また、前記電気機器の使用用途によっては、水気のある場所での使用が想定される場合や、機器の清掃のため該電気機器の水洗いを行うことが想定される場合があり、それ故に漏電が発生する可能性が高く、該漏電による感電事故を防止するために、電気機器に組み込む遮断器として漏電遮断器を使用することがある。
【０００９】
取っ手式の操作部を持つ遮断器においては、防水カバーを取っ手部分を覆うように設けて防水機能を備えることがあるが、この場合には、遮断器の入切操作を行う際において、該防水カバーに取っ手が引掛かることにより、該防水カバーが引っ張られ、経年的にみると防水カバーが破れやすいという課題があった。
【００１０】
即ち、遮断器の製造者は、操作方法の異なる遮断器の提供にあたり、該遮断器の操作方法に応じて複数の開閉機構部や周辺の機構部を設計する必要があるために開発コストの増加につながるという課題や、量産時の部品種類の増加や、組み立て工程作業の種類の増加、製造ラインの種類の増加など、結果的に品種が増えることによりコストアップにつながるという課題があった。また、遮断器を機器に組み込んで使用する場合などに、低コストで防水性能に優れた漏電遮断器の提供が行えないという課題があった。
【００１１】
そこで，本発明はこのような課題に鑑みてなされたものであり，
漏電遮断器の操作方法を、前記漏電遮断器の開閉機構部の変更をほとんど行うことなく押釦式の操作方法から取っ手式の操作方法に、または、取っ手式の操作方法から押釦式の操作方法に変更が可能であり、前記開閉機構部をコンパクトに構成することができ、なおかつ、防水性能に優れた漏電遮断器を低コストで提供することを目的としている。
【課題を解決するための手段】
【００１２】
上記目的を達成するために，請求項１の発明では，漏電遮断器の外郭を構成するケースとカバーとからなる器体と、該器体外部から操作可能に前記器体に設けられる漏電引き外しの動作確認を行うテスト釦と、該器体外に一部が突出してなる操作部材と、前記操作部材を操作することにより該操作部材と連動して動作し固定接点と可動接点とを強制的に接離させる開閉機構と、前記漏電遮断器を所定面に取付ける取付け面とを有する漏電遮断器において、器体内部には、前記操作部材を操作することにより該漏電遮断器のオン状態とオフ状態との間で回動自在に器体内に配設される回動部材と、前記回動部材とリンクにより連結され、該リンクを介して前記回動部材の回動操作と連動して動作するラッチ部材と、該ラッチ部材と係合する作動板と、前記ラッチ部材に連動するクロスバーと、前記クロスバーに支持される可動接触子と、前記可動接触子と対向して配置される固定接触子と、電路に流れる漏電電流を検出する零相変流器と、該零相変流器に接続された漏電検知部と、前記テスト釦を操作することにより前記零相変流器を貫通する導体に模擬的に漏電電流を発生させる漏電テスト回路と、前記漏電検知部から出力される漏電引き外し信号により動作し前記作動板に作用する引き外しコイルと、が少なくとも備えられ、前記操作部材は、前記回動部材に対して回動自在に連結されて設けられる押圧操作式の第一の操作部材と、前記カバーに設けられ、該カバー外から押圧操作することにより前記回動部材に回転力を与えるように当接する第二の操作部材とから成り、前記漏電遮断器の取付け面と、前記回動部材の回動中心を含む前記漏電遮断器の取付け面に対する法面とにより形成される二つの領域を第一の領域及び第二の領域とした場合に、前記第一の操作部材は前記第一の領域において前記回動部材に連結され、前記第二の操作部材は前記第二の領域において前記カバー側に設けられることを特徴として漏電遮断器を提供したものである。
【００１３】
このような構成によれば，第一の操作部材及び回動部材を、該回動部材と回動中心を同じくした把持部付の回動部材に置き換えるとともに、前記カバーを、把持部付の回動部材の動作軌跡を妨げないように形成されたカバーに置き換えることにより、操作方法を違えた漏電遮断器が提供でき、なおかつ前記第二の操作部材を前記カバー側に設けることにより前記開閉機構部をコンパクトに構成することができ、開閉機構部の変更をほとんど行うことなく、低コストで操作方法を変更可能な漏電遮断器を提供することができる。
【００１４】
また，前記第二の操作部材は、コイルバネにより前記ケースの外側方向に常にバイアスされるよう構成されたことを特徴として構成してもよい。
【００１５】
これにより、前記第二の操作部材はカバー側に支持された状態で、なおかつカバーの外側方向にバイアスされるよう構成されるため、カバー内において該第二の操作部材の支持が不要となり、内部の開閉機構をコンパクト化できる。
【００１６】
また、前記カバーに、樹脂材料からなる防水カバーを装着したことを特徴として構成しても良い。
【００１７】
これにより、防水性能が高い漏電遮断器を提供することができ、水気の多い場所での使用においても遮断器の動作を適切に保つことができるとともに、漏電が発生した場合には適切に動作して漏電事故の発生を低減することができる。
【００１８】
また、前記第一の操作部材と前記回動部材とを、把持部が設けられるとともに前記回動中心及び前記リンクの連結位置を同じくした把持部付回動部材に置き換え、前記カバーを前記把持部付回動部材に対応するカバーに置き換えることにより、漏電遮断器の操作方法を押圧操作式乃至把持操作式に変更可能であることを特徴として構成してもよい。
【００１９】
これにより、漏電遮断器の操作方法を押圧操作式（押釦式）と把持操作式（取っ手式）とで変更を行う場合、開閉機構のうち、第一の操作部材と前記回動部材とカバーとを、把持部が設けられるとともに前記回動中心及び前記リンクの連結位置を同じくした把持部付回動部材に置き換えて、なおかつ前記カバーを前記把持部付回動部材に対応するカバーに置き換えることにより、前記漏電遮断器の操作方法を押釦式から取っ手式、また、取っ手式から押釦式に容易に変更することができる。
【発明の効果】
【００２０】
本発明によれば、漏電遮断器の操作方法を、前記漏電遮断器の開閉機構部の変更をほとんど行うことなく押釦式の操作方法から取っ手式の操作方法に、または、取っ手式の操作方法から押釦式の操作方法に変更が可能であり、前記開閉機構部をコンパクトに構成することができ、なおかつ、防水性能に優れた漏電遮断器を低コストで提供することが可能となる。
【発明を実施するための最良の形態】
【００２１】
以下に本件発明の第一の実施の形態に係る漏電遮断器について，図面を参照しつつ詳細に説明する。
【００２２】
図１、図２は、本発明の漏電遮断器を説明するための、前記漏電遮断器の並設方向からみた概略内部構造図である。図１は漏電遮断器が入状態の場合を示し、図２は漏電遮断器が切状態の場合を示している。なお機構部の動作の説明を容易にするため一部簡略化して図を示している。図３は前記漏電遮断器の操作部材に臨んだ図を示し、図４は前記漏電遮断器の開閉機構部付近の拡大図を示し、説明を行いやすいように構成部材を一部カットした図を示している。図５は防水カバーを取付けた図を示し、図６は操作方法を変更した図を示している。
【００２３】
図中において、１は漏電遮断器の外郭を構成する器体で、１ａはケース、１ｂはカバーである。２１は操作状態に応じて前記器体１の外部に一部が突出してなる第一の操作部材、２２は前記カバー１ｂに設けられ、該カバー外から押圧操作することにより回動部材５に回転力を与えるよう当接するように設けられた第二の操作部材である。該第二の操作部材２２は、図中の当接部材２２ａにコイルバネ２３が貫通され、該コイルバネ２３により常にカバー１ａの外側方向にバイアスされる。また、該第二の操作部材２２には、カバー１ａに引掛かり抜け止めの役割を果たす抜け止め部材２２ｂが設けられている。３１は可動接点、３２は固定接点、４は漏電遮断器の取付け面、５は回動部材、６はリンク、７はラッチ部材、８はクロスバー、９はバイメタル、１０は作動板である。１００１は負荷側の導体が貫通挿入された零相変流器、１００２は該零相変流器と接続される漏電検知部、１００３はカバー外部から押圧操作可能に設けられたテスト釦、１００４は前記テスト釦を押圧操作することにより前記零相変流器を貫通する導体に電流を流し模擬的に漏電電流を発生させる漏電テスト回路、１００５は前記漏電検知部からの出力を受けて動作する引き外しコイルである。また、図中左側が電源側端子側で右側が負荷側端子側を示している。
【００２４】
次にそれぞれの構成部材について説明を行う。
【００２５】
第１の操作部材２１は、第１の連結部２１１にて、回動部材５に対して回動自在に軸支連結される。該軸支連結される位置は、前記漏電遮断器の取付け面４と、前記回動部材５の回動中心５０１を含む前記漏電遮断器の取付け面４に対する法面とにより形成される二つの領域、即ち、図中において取付け面４に回動中心５０１から垂線を引いた場合に分けられる２つの領域を第一の領域及び第二の領域とした場合に、前記第一の操作部材は前記第一の領域において前記回動部材に軸支連結されるように設けられる。
【００２６】
該回動部材５は、その回動中心５０１を前記器体１内に設けられた主軸受により軸支され、前記第一の領域において第一の操作部材２１との軸支連結部２１１が設けられ、該軸支連結された第一の操作部材２１を取付け面４側に押圧することにより図中において反時計回りに回転する。また、回動部材５は、前記第二の領域において第二の操作部材２２を押圧操作した場合に該第二の操作部材と当接する当接部２２１が設けられる。
【００２７】
前記回動部材５は、入状態において、前記第２の操作部材２２を取付け面４側に押圧することにより図中において時計回りに回転する。なお、回動部材５はばね５５０により図中において常時反時計回りに付勢されている。
【００２８】
第１の操作部材２１の内部形状は、前記回動部材５の回動を妨げることがないよう、該回動軌跡を避けるように内部に窪みを設けて形成している。
【００２９】
リンク６は該リンク６の一端が回動部材５のリンク取付部５１２に取付けられるとともに、他端がラッチ部材７に設けられているリンク取付部７０１に軸支により取付けられ、前記回動部材５と前記ラッチ部材７を連動させるよう設けられている。また、前記器体１内には、前記リンク６の前記他端部の動きを所定の軌跡上に規制するためのガイド部５００が設けられ、該ガイド部５００により前記リンク６の前記他端部は前記回動部材５の回動に連動して所定の軌跡上を移動するように設けられている。
【００３０】
ラッチ部材７は前記回動部材５と前記リンク６により連結されているため、回動部材５の回動に連動して動作する。該ラッチ部材７の一端には、漏電遮断器を入状態にする際に、クロスバー８を押圧するクロスバー押圧部７０２が設けられ、他端には作動板１０とラッチするラッチ部７０３が設けられている。
【００３１】
クロスバー８は可動接点３１が設けられた可動接点板を支持し、前記ラッチ部材７と連動して動作するものであり、前記クロスバー押圧部７０２に押圧された場合には可動接点３１を図中において下側に押し下げて固定接点３２と接触させ、前記クロスバー押圧部７０２の押圧が解除された場合には、クロスバー８を常時上側方向に付勢させるばね（図示しない）により上側方向に持ち上げられ可動接点３１を固定接点３２から開離させる。
【００３２】
バイメタル９は、該バイメタル９の一部が電路として設けられており（直熱形）、該電路に電流が流れて発熱することにより所定の方向に撓み変形するものである。なおバイメタルの一部を電路とせず、ヒーターを近傍に設けて該ヒーターの熱をバイメタルに伝えることで該バイメタルを所定の方向に撓ませ変形させる傍熱形としてもよい。
【００３３】
作動板１０は、該作動板の１０の一部が軸支され、該軸支部を作動板の回動中心１０１として回動する。なお、作動板１０はばね（図示しない）により常時反時計回りに付勢され、前記ラッチ部材７に設けられたラッチ部７０３と、ラッチ部材７とのラッチ部１０３とがラッチする方向に付勢されている。また、作動板１０には前記バイメタル９が撓み変形した場合に当接するバイメタル当接部１０２が設けられており、該バイメタル当接部１０２にバイメタル９が当接することにより、前記作動板の回動中心１０１を中心として時計回りに回転する。また、図中において、前記回動中心１０１の下側には、引き外しコイル１００５と係合する係合部が設けられている。
【００３４】
零相変流器１００１は、電圧相並びに中性相の各々の負荷側の導体が貫通挿入されて設けられており、電路に流れる漏電電流を検出した場合には出力を発生する。漏電検知部１００２は、前記零相変流器１００１と接続されており、該零相変流器１００１からの出力を受けて所定の大きさの漏電電流を検知した場合には、引き外しコイル１００５を作動させる。
【００３５】
漏電テスト回路１００４は、前記テスト釦１００３を押圧操作することにより前記零相変流器１００１を貫通する導体に電流を流し模擬的に漏電電流を発生させる。この模擬的な漏電電流を受けて零相変流器１００１が出力を発生することにより、前記漏電検知部１００２は、引き外しコイル１００５を作動させ、該引き外しコイルが作動板１０に作用することにより該作動板１０を回転駆動させ、前記ラッチ部材７と作動板１０とのラッチが解かれて引き外し動作を行う。
【００３６】
漏電遮断器の操作部材を押釦式から取っ手式に変更するにあたり、漏電遮断器の内部における開閉機構については、そのほとんどをそのまま流用できるため、低コストで操作方法を変更可能な漏電遮断器を提供できる。カバー１ａについては、操作部材が押釦式から取っ手式に変更になることに伴い、取っ手部の移動軌跡を妨げることがないように形成された孔部が設けられたカバーに変更するとよい。図６に、第一の操作部材２１及び回動部材５を、回動部材５の回転中心５０１及びリンク６の連結位置を同じくした、把持部が設けられる回動部材２４に置き換えるとともに、カバー１ａを、前記把持部が設けられる回動部材の移動軌跡を妨げないように内側に窪みが形成されたカバー１ｃに置き換えて構成した漏電遮断器の概略構造図を示す。
【００３７】
図５には、操作部が押釦式の漏電遮断器に防水カバー２０００を装着した図を示している。本発明の漏電遮断器を電気機器に組み込んで使用する場合において、前記電気機器の使用用途によっては、水気のある場所での使用が想定される場合や、電気機器の清掃のため該機器の水洗いを行うことが想定される場合がある。このような場合においても、漏電遮断器は正常な動作を要求されるため、漏電遮断器のカバー１ａ全体を覆うように防水カバー２０００を装着する。
【００３８】
前記防水カバー２０００は樹脂性材料で構成されており、弾性並びに延性を備えている。前述したように、取っ手式の操作部を持つ遮断器においては、防水カバーを取っ手部分を覆うように設けた場合、遮断器の入切操作を行う際において、該防水カバーに取っ手が引掛かることにより、該防水カバーが引っ張られ、経年的に防水カバーが破れやすく、防水性が失われるが、操作部が押釦式の場合においては、遮断器の入切操作を行う場合には防水カバー２０００を介して操作部を押圧するだけであるので経年的にみて防水カバーは破れにくく、防水性が保持できる。
【００３９】
次に前記漏電遮断器の操作部の動作について説明を行う。
【００４０】
まず、漏電遮断器を切状態から入状態に動作させる場合について説明を行う。切状態においては、図２に示されているように、第１の操作部材２１の一部が器体１の外部に突出した状態となっている。
【００４１】
第１の操作部材２１を器体１の外部から器体１の内部に向けて押圧していくと、回動部材５と前記第１の操作部材２１は第一の連結部２１１により軸支連結されているため、前記回動部材５は回動中心５０１を中心として反時計回りに回転を始める。
【００４２】
また、リンク６は、回動部材５の回転に伴い移動を開始し、前記リンク６の他端部は、前記ガイド部５００に沿って図中下側方向に向けて所定の軌跡を描くように移動を行う。また、ラッチ部材７は回動部材５とリンク６によりリンク取付部７０１にて軸支により連結されているため、前記回動部材５の回転に伴い図中下側方向に移動を開始する。
【００４３】
該ラッチ部材７は前記リンク６に押圧されて図中の下側方向に移動することにより、まず、ラッチ部７０３が作動板１０のラッチ部材７とのラッチ部１０３に当接する。ラッチ部７０３が作動板１０のラッチ部１０３に当接すると、該ラッチ部７０３を回転中心として反時計回りの方向に回転を始め、リンク６に押圧されることにより、前記クロスバー押圧部７０２がクロスバーに当接するとともに、クロスバー押圧部７０２がクロスバー８を押し下げていく。
【００４４】
さて、第１の操作部材２１を器体１の外部から器体１の内部に向けて押圧していくと前記回動部材５は回動中心５０１を中心として反時計回りに回転を始めるが、回動部材５は該回動部材５を常時時計回りの方向に付勢させるばね５５０と、前記クロスバー８を常時上側方向に付勢するばねにより時計回りに付勢されているため、切状態から入状態に移るまでの途中の状態において押圧を解除すると、回動部材５はふたたび元に位置に向けて時計回りに回転を行い、第１の操作部材２１においても元の位置に向けて器体１の外部に突出する方向に移動するように振舞う。なお、前記回動部材５を常時時計回りの方向に付勢させるばね５５０の強さと、前記クロスバー８を常時上側方向に付勢するばねの強さは、該クロスバー８を常時上側方向に付勢するばねのほうが大きくなるように設けられている。
【００４５】
ここで、回動部材５の回動中心５０１とラッチ部材７のリンク取付部７０１を結ぶ線を死線とした場合、第１の操作部材２１を器体１の外部から器体１の内部に向けて押圧していき、回動部材５の回転により前記リンク取付部５１２が前記死線を越えた場合にはリンクのバランスが崩れ、即ち回動部材の回動中心５０１とリンク取付部５１２とリンク取付部７０１とを結ぶ略くの字状の形が図１に示されたような逆略くの字状の形となり、前記クロスバー８を常時上側方向に付勢するばねにより前記回動部材５は、今度は図中において反時計回りの方向に回転付勢され、その結果前記第１の操作部材２１は器体１の内部に収納される位置に移動する。クロスバー８に支持された可動接点３１はクロスバー８に押圧されることにより固定接点３２に接触し、漏電遮断器の切状態から入状態への動作が完了する。
【００４６】
次に、漏電遮断器を入状態から切状態に動作させる場合について説明を行う。入状態においては、図１に示されているように、第１の操作部材２１は器体１の内部に収納された状態となっている。
【００４７】
この状態において、第２の操作部材２２を器体１の外部から器体１の内部に向けて押圧していき、該押圧による力が前記回動部材５を反時計回りの方向に付勢させる力に勝った場合には、回動部材５は時計回りの方向に回転を始める。前記リンク取付部５１２は次第に前記死線に近づいていき、該死線を超えた場合にはリンクのバランスが崩れて、前記回動部材５を常時時計回りの方向に付勢させるばねと、前記クロスバー８を常時上側方向に付勢するばねの作用により、前記回動部材５は時計回りの方向に付勢され該時計回りの方向に回転を行う。そして、前記第１の操作部材操作部材２１は図２に示されたように、器体１の外部に一部が突出した位置に移動する。第２の操作部材２２は押圧を止めると、前記コイルバネ２３により、器体１の外部の方向にバイアスされているため、初期の状態に戻る。
【００４８】
また、クロスバー８は図中上側方向に移動するため、該クロスバー８に支持された可動接点３１は固定接点３２から離され、回動部材５の時計回りの方向の回転に連動してリンク６によりラッチ部材７も図中上側方向に移動し、漏電遮断器は図２に示された切状態となる。
【００４９】
なお、漏電遮断器が入状態の場合に、電路に過電流などの異常電流が生じた場合には、バイメタル９が撓み変形することにより作動板１０の当接部１０２に当接し、バイメタル１０が図中時計回りの方向に作動板１０を回転させることにより、前記ラッチ部材７とのラッチ部１０３と、作動板１０とのラッチ部７０３のラッチが外れ、該ラッチ部材７の動きの規制が解かれて図中時計回りの方向への回転が自在となり、常時図中上側方向に付勢されているクロスバー８により図中上側方向に押圧され、リンク取付部７０１を回転中心として図中時計回りの方向に回転を行うとともに、クロスバー８は図中上側方向に移動を行い、該クロスバー８に支持されている可動接点３１は固定接点３２から離れる。
【００５０】
また、回動部材５は常時時計回りの方向に付勢されているため、時計回りの方向に回転を始め、ラッチ部材７をリンク６により図中において上側方向に引き上げるとともに、第１の操作部材２１を器体１の外部に突出させる方向に移動させ、漏電遮断器は図２に示された切状態となる。
【００５１】
また、漏電遮断器が入状態の場合に、電路に過電流などの異常電流が生じた際に、第１の操作部材２１や、回動部材５が動かない場合においても、前述のように、前記ラッチ部材７とのラッチ部７０３が、作動板１０のラッチ部１０３から外れると、該ラッチ部材７は、規制が解かれて図中時計回りの方向への回転が自在となるため、前記ラッチ部材７は、常時図中上側方向に付勢されているクロスバー８により図中上側方向に押圧されるとともにリンク取付部７０１を回転中心として図中時計回りの方向に回転させられ、クロスバー８は図中上側方向への移動が可能となり、該クロスバー８に支持されている可動接点３１は固定接点３２から離れ開極される。即ちいわゆるトリップフリー動作を行う。
【００５２】
このように漏電遮断器を構成したことにより、第一の操作部材２１及び回動部材５を、回動部材５の回転中心５０１及びリンク６の連結位置を同じくした、把持部が設けられる回動部材２４に置き換えるとともに、カバー１ａを、前記把持部が設けられる回動部材の移動軌跡を妨げないように内側に窪みが形成されたカバー１ｃに置き換えて構成した漏電遮断器が提供できるため、開閉機構部の変更をほとんど行うことなく低コストで操作方法を変更可能で、なおかつ、防水性能が必要な場合には防水カバーを装着することにより、経年的にみて良好な防水性能が保持できる漏電遮断器を提供することができる。
【００５３】
なお、出願人は、第二の操作部材が前記回動部材に連結された押釦式の回路遮断器について出願を行っているが、該第二の操作部材が前記回動部材に連結されるタイプにおいて必要であった第二の操作部材が器体内部に収納されるスペースを不要とできるため、機構部をコンパクト化でき、器体内の限られたスペースに漏電機能を収納することができるという効果がある。
【産業上の利用可能性】
【００５４】
以上説明したように，本発明の漏電遮断器は、機構部をコンパクト化でき器体内の限られたスペースに漏電機能を収納でき、また、操作方法の変更を構成部品の変更を少なくして行うことができるため、製造者にとって部品の管理コストや在庫リスクをより低減しつつ、防水性能が必要な場合には防水カバーを装着することにより優れた防水性能を経年的に保持することができる漏電遮断器を提供できるものである。
【図面の簡単な説明】
【００５５】
【図１】本発明の漏電遮断器を示した概略構造図である。
【図２】本発明の漏電遮断器を示した概略構造図である。
【図３】本発明の漏電遮断器を示した概略構造図である。
【図４】本発明の漏電遮断器を示した拡大概略構造図である。
【図５】防水カバーを装着した概略構造図である。
【図６】本発明の漏電遮断器の操作部を置き換えた概略構造図である。
【図７】背景技術を説明した図である。
【図８】背景技術を説明した図である。
【図９】背景技術を説明した図である。
【符号の説明】
【００５６】
１  器体
１ａ  ケース
１ｂ  カバー
２１  第一の操作部材
２１１  連結部
２２  第二の操作部材
２２ａ  当接部材
２２ｂ  抜け止め部材
２３  コイルバネ
２４  把持部が設けられた回動部材
３１  可動接点
３２  固定接点
４  取付け面
５  回動部材
５００  ガイド部
５０１  回動中心
５１２  リンク取付部
５５０  ばね
６  リンク
７  ラッチ部材
７０１  リンク取付部
７０２  クロスバー押圧部
７０３  ラッチ部
８  クロスバー
９  バイメタル
１０  作動板
１０２  バイメタル当接部
１００１  零相変流器
１００２  漏電検知部
１００３  テスト釦
１００４  漏電テスト回路
１００５  引き外しコイル
２０００  防水カバー
【図１】
2008004352.tif 000003
【図２】
2008004352.tif 000004
【図３】
2008004352.tif 000005
【図４】
2008004352.tif 000006
【図５】
2008004352.tif 000007
【図６】
2008004352.tif 000008
【図７】
2008004352.tif 000009
【図８】
2008004352.tif 000010
【図９】
2008004352.tif 000011